(57)【特許請求の範囲】
【請求項１】
床面に起立姿勢で配置される支柱本体と、該支柱本体に装着されるカバーとを具備してなり、支柱本体とそれに装着したカバーとの間に、支柱本体の長手方向に沿って延び相互に仕切られた複数の空間を形成するようにしたものであって、支柱本体を、該支柱本体の中核となり床面に起立姿勢で配置される中心体と、中心体から外方に向けて突出し中心体に沿って上下に延びる複数のアームとから構成し、各アームの基端部と先端部との間における中間位置に、前記カバーを装着し得るカバー取付部を形成し、
カバーを、隣接する一対のアームにおいて相互に対面する位置にあるカバー取付部同士に係合させて取り付け得るようにするとともに、
カバーの両側端部間における幅方向中間部に、前記隣接するアームそれぞれのカバー取付部と係合し得る一対の被取付部を内向きに突出させて形成し、カバーの両側端部を、前記アームの先端部よりも前方に位置付けていることを特徴とする支柱。
【請求項２】
床面に起立姿勢で配置される支柱本体と、該支柱本体に装着されるカバーとを具備してなり、支柱本体とそれに装着したカバーとの間に、支柱本体の長手方向に沿って延び相互に仕切られた複数の空間を形成するようにしたものであって、支柱本体を、該支柱本体の中核となり床面に起立姿勢で配置される中心体と、中心体から外方に向けて突出し中心体に沿って上下に延びる複数のアームとから構成し、各アームの基端部と先端部との間における中間位置に、前記カバーを装着し得るカバー取付部を形成し、
カバーを、隣接する一対のアームに形成したカバー取付部同士に係合させて取り付け得るようにするとともに、
カバーの両側端部間における幅方向中間部に、前記隣接するアームそれぞれのカバー取付部と係合し得る被取付部を内向きに突出させて形成し、カバーの両側端部を、前記アームの先端部よりも前方に位置付けていることを特徴とする支柱。
【請求項３】
カバーをカバー取付部に着脱可能に装着し得るようにしていることを特徴とする請求項１又は２記載の支柱。
【請求項４】
カバーが弾性変形可能な素材からなるものであり、その弾性変形を利用してカバーを支柱本体に着脱するようにしていることを特徴とする請求項３記載の支柱。
【請求項５】
カバーを装着した状態で、隣接するカバーの側端部同士の間におけるアームの一部にオプション部材取付部を形成していることを特徴とする請求項１、２、３又は４記載の支柱。
【請求項６】
オプション部材取付部が、上下に連続して延び外方に向けて開口するようにアームの先端部に形成した連続溝を具備していることを特徴とする請求項５記載の支柱。
【請求項７】
前記連続溝がその開口縁部よりも内部の方が幅寸法の広い形状を有し、連続溝の開口縁部を起立姿勢で通過させて位置付けた内部で水平軸周りに一方向へ回転させることによって開口縁部からの抜け出しが規制されるナット部材に対して前記オプション部材を該オプション部材側からネジ止めにより取り付け得るように構成していることを特徴とする請求項６記載の支柱。
【請求項８】
中心体の周囲に、それぞれ同一形状をなす前記複数のアームを等間隔で突出させていることを特徴とする請求項１、２、３、４、５、６又は７記載の支柱。
【発明の詳細な説明】
【０００１】
【発明の属する技術分野】
本発明は、配線空間等として利用することができ、またオプション部材を取り付けることもできる支柱に関するものである。
【０００２】
【従来の技術】
近年のＯＡ化の推進に伴って、オフィス内には多くの配線が溢れかえるようになっている。特に床下から立ち上げた配線や、天井から室内に引き下ろした配線の引き回しは、オフィス空間に見苦しい形で露出しがちであり、配線が通路を横断していたり天井からぶら下がっているとオフィスの機能低下や不慮の事故の原因ともなりかねない。
【０００３】
一方、最近では、オフィスの床面に起立させた複数の支柱に横架材を支持させて、パネルや収納棚、天板等のオプション部材を配置することで特定の作業空間を形成するようにしたものが知られてきている。このような構成の作業空間は、オフィスレイアウトをフレキシブルに行い得ることで注目されているが、作業空間を構築する支柱に配線案内機能を持たせることによって、配線を露出させないすっきりとしたオフィス空間を形成することも考えられている。
【０００４】
その他にも、例えばデスクにはコンピュータや照明器具等、特に多くの配線を要する設備が配置されることから、デスクの天板を支持する脚支柱の内部に床下から立ち上げた配線を案内させるようにしたものも考えられている。
【０００５】
このような構成の支柱や脚支柱では、その内部を上下に連通して延びる一つの空洞として、その空洞を配線案内路として利用したり、支柱（脚支柱を含む）を支柱本体とその一縁部に沿って装着されるカバーとから構成し、支柱本体とカバーとの間に配線案内路となる空間を形成するようにしたものが一般的である。
【０００６】
【発明が解決しようとする課題】
ところが、ＯＡ機器や照明器具等の電力線、社内ＬＡＮ等の通信線、ＯＡ機器同士の接続ケーブルなど、多種類の配線が混在して同時に使用される昨今の事情を考慮すると、上述のように配線案内路を一つしか備えていない構成の支柱や脚支柱であると配線を種類や目的ごとに分類することが困難であるため、一見しただけではどれが何の配線であるのか判断することが難しい。特に配線類には、それが使用される機器によって情報用又は通信用と電力用に分類され、それらは弱電用と強電用とに区別されており、それぞれに対応するコンセントも区別して設けられているのが通常である。そのため、配線類を無秩序に配線案内路に格納するのではなく、種類ごとに異なる配線案内路に区別して収納したい、できれば使用態様に応じてユーザー自身で自由に配線を変更したいという、ユーザー側の要望もある。さらに、支柱内部に形成した配線案内路に配線を通したりその配線を取り出したりするには、支柱を持ち上げたり傾けたりする必要が生じるため、作業が大がかりとなり極めて煩雑である。
【０００７】
以上のような問題を解消するために本発明は、床下や天井から引き出した配線類を分類して収容し得る有用な配線案内機能を付与することを主たる目的とした支柱を提供するものである。
【０００８】
すなわち、本発明の支柱は、床面に起立姿勢で配置される支柱本体及びそれに装着されるカバーとを備え、支柱本体とそれに装着したカバーとの間に、支柱本体の長手方向に沿って延び相互に仕切られた複数の空間を形成するようにした基本的構成を有し、支柱本体を、その中核となり床面に起立姿勢で配置される中心体と、中心体から外方に向けて突出し中心体に沿って上下に延びる複数のアームとから構成し、各アームの基端部と先端部との間における中間位置に、前記カバーを装着し得るカバー取付部を形成していることを前提とするものである。
【０００９】
支柱としては、横架材等を支持して所定の作業空間を形成する構造物の支柱、デスクやテーブルの脚支柱、パーティションパネル等を支持する支柱など、種々の支柱一般に適用することができるが、上記のような構成の支柱であれば、支柱本体とカバーとの間において相互に仕切られた複数の空間をそれぞれ配線案内路として利用することができるため、少なくとも床下から引き出して立ち上げられる電力線や通信線等の複数種ある配線類を好適に分類して収容しておくことができ、それらをカバーによって隠蔽することで外部から隠すことができるようになる。その結果、オフィス等の室内空間をすっきりとさせることができ、作業効率の向上や事故の防止を有効に図ることもできる。また、支柱が、その上端部が天井付近まで届くようなものであれば、天井から引き出した配線類も分類して収容することができるようになる。
【００１０】
特にアームの基端部と先端部との中間位置にカバー取付部を形成しているため、アームの基端側及び支柱本体とカバーとの間に形成される空間に加えて、アームの先端側とカバーとの間にも新たに空間を形成することができ、それら多くの空間を配線案内路として好適に用いることができるようになり、配線の種類ごとに分類してそれぞれ別々の配線案内路に格納するようにすることで、多様な配線態様を実現することができるようになる。ここで、カバー取付部を形成する中間位置は、アームのうち基端部と先端部とを除く何れの箇所であってもよく、必ずしも基端部と先端部との中央であるとは限らない。仮に、アームの基端部にカバー取付部を形成したり、中心体にアームとは別個にカバー取付部を形成したとすると、カバー取付部の先端部をアームの先端部近傍まで延ばす必要が生じ、その場合にはカバー取付部を作製するための材料がそれだけ多く必要となるためコスト高になり、またカバー取付部の水平方向長さが極端に長いとカバーの装着時に変形が生じやすくなるなどの不具合が考えられるが、本願発明のようにアームの中間位置にカバー取付部を設定することで、このような不具合は一挙に解消される。
【００１１】
そして本発明に係る支柱は、配線案内路として有効に利用できる空間を好適に形成するためのカバー側の支柱本体に対する好ましい取付態様として、カバーを、隣接する一対のアームにおいて相互に対面する位置にあるカバー取付部同士に係合させて取り付け得るようにしている。具体的には、カバーの幅方向中間部に、隣接するアームそれぞれのカバー取付部と係合し得る一対の被取付部を内向きに突出させて形成している。加えて、単一のカバーを用いて一対のアーム間に複数の区画された空間を形成するに、カバーの両側端部をアームの先端部よりも前方に位置付けていることを特徴としている。
また本発明に係る支柱は、床面に起立姿勢で配置される支柱本体と、該支柱本体に装着されるカバーとを具備してなり、支柱本体とそれに装着したカバーとの間に、支柱本体の長手方向に沿って延び相互に仕切られた複数の空間を形成するようにしたものであって、支柱本体を、該支柱本体の中核となり床面に起立姿勢で配置される中心体と、中心体から外方に向けて突出し中心体に沿って上下に延びる複数のアームとから構成し、各アームの基端部と先端部との間における中間位置に、前記カバーを装着し得るカバー取付部を形成し、カバーを、隣接する一対のアームに形成したカバー取付部同士に係合させて取り付け得るようにするとともに、カバーの両側端部間における幅方向中間部に、前記隣接するアームそれぞれのカバー取付部と係合し得る被取付部を内向きに突出させて形成し、カバーの両側端部を、前記アームの先端部よりも前方に位置付けていることを特徴としている。
【００１２】
特に支柱を設置した後でも、前記空間に配線類を容易に出し入れでき、メンテナンスも容易に行い得るようにするためには、カバーを支柱本体に着脱可能に装着するようにすることが好ましい。さらに、カバーの支柱本体に対する着脱を容易なものとするためには、カバーを弾性変形可能な素材からなるものとして、その弾性変形を利用して着脱するようにすることが有効である。
一方、このような支柱に、天板、棚、パネル、照明器具等のオプション部材を取り付けて、会議室やグループあるいは個人用のスペースとしてフレキシブルなオフィス空間を形成し得るようにするためには、カバーを装着した状態で、隣接するカバー同士の間におけるアームの一部にオプション部材取付部を形成することが有効である。このようにすることで、支柱に形成した空間内の配線類に影響を与えることなくオプション部材を取り付けることができるようになる。
【００１３】
このような場合、オプション部材の取付高さ位置を自由に変更できるようにするためには、オプション部材取付部が、上下に連続して延び外方に向けて開口するようにアームの先端部に形成した連続溝を備えるようにすることが望ましい。このような連続溝に対応して、簡単にオプション部材を取り付けられる好適な具体的構成としては、連続溝がその開口縁部よりも内部の方が幅寸法の広い形状を有し、連続溝の開口縁部を起立姿勢で通過させて位置付けた内部で水平軸周りに一方向へ回転させることによって開口縁部からの抜け出しが規制されるナット部材に対して前記オプション部材を該オプション部材側からネジ止めにより取り付け得るようにしたものが挙げられる。
【００１４】
以上のような構成の支柱を、鉛直軸周りの方向を問わずに配置し得るようにして、施工の簡便化を図り得る具体例には、中心体の周囲に、それぞれ同一形状をなす前記複数のアームを等間隔で突出させた構成のものが挙げられる。
【００１５】
【発明の実施の形態】
以下、本発明の一実施形態を、図面を参照して説明する。
【００１６】
図１は、本実施形態の支柱２を床面Ｆに複数起立状態で配置するとともに、隣接する支柱２の上端部間に横架材８を支持させて形成した構造体１によって、オフィス空間に所定の作業空間、いわゆる作業空間モジュールを形成したものを示している。支柱２には、オプション部材として棚用の円形天板１０を取り付けられるようにしているが、オプション部材にはその他にもデスク用の天板１０ｘや照明器具１０ｙ等も取り付け得ることができる。
【００１７】
まず、支柱２の具体的構成について説明する。
【００１８】
この支柱２は、図２及び図８に示すように、アルミ押し出し成形材を所定の長手寸法に切断することによって長手方向に沿って各部等断面形状をなすようにした支柱本体３と、その支柱本体３に着脱可能に装着されるカバー６とからなるものである。
【００１９】
支柱本体３は、その中核部分をなし中心に位置付けられる中心体４と、中心体４から四方に延ばした四本のアーム５とを一体成形したものである。中心体４は、平断面視概略正方形の角パイプ状をなすもので、支柱本体３に対応する長手寸法を有している。アーム５は、いずれも同一形状を有し中心体４と略同一の長手寸法を有しており、それぞれ中心体４の四つの起立壁４１における外向面により構成される各四隅をそれぞれ基端部５１ａとして中心体４の平断面形状である正方形の対角線に沿って外方に向けて延びる平板状のアーム本体５１と、アーム本体５１の先端部を二股に分岐させた一対の先端部５２と、アーム本体５１の基端部５１ａと先端部５２との中間位置において外方に向けて相互に約９０°をなして開くように突出させた板状をなす一対のカバー取付部５３とを備えている。なお、この支柱本体３は、図示しないが下端部において中心体４の中央部に挿入した固定ナットに床面Ｆ側から突出させたボルトを止着することにより床面Ｆに固定している。
【００２０】
先端部５２は主として、アーム本体５１の先端から平面視クランク状をなして複数箇所で屈曲させた第１の起立壁５２１と、第１の起立壁５２１の基端部から中心体４の一起立壁４１と略平行するようにごく短く延ばした第２の起立壁５２２とから構成される。また、前記第１の起立壁５２１には、同一のアーム本体５１から突出する他方の先端部５２における第１の起立壁５２１と相寄る方向に突出する板状の突出壁５２３を形成して、これら突出壁５２３と二つの第１の起立壁５２１とによって囲まれる空間に平面視矩形状をなして上下に延びる連続溝５４を形成している。この連続溝５４は、前記一対の突出壁５２３の先端間を通じて外部に開放されているため、その開口縁部５４ａよりも内部の方が広がった形状となっている。また、連続溝５４よりもさらにアーム本体５１側の部位は、アーム本体５１の先端と一対の第１の起立壁５２１の基端部とによって平面視コ字形に囲まれ連続溝５４に対して開放されて上下に延びる溝部５５を形成している。そして、これら突出壁５２３、連続溝５４及び溝部５５によって、オプション部材取付部Ｘを構成している。
【００２１】
カバー取付部５３は、いずれもアーム本体５１の基端部から先端側へ向けて所定距離偏位した位置においてそのアーム本体５１と約４５°の角度をなして、すなわち中心体４の起立壁４１に対して略垂直に延びる薄板状のものであり、その先端部の一部はさらに平面視「く」の字形に屈曲させて、上下に延びる凹部５３ａを形成している。
【００２２】
カバー６は、アーム５の一方の第２の起立壁５２２の基端部からそれに隣接するアーム５の第２の起立壁５２２までの幅寸法を有し支柱本体３よりも若干短い高さ寸法を有するカバー本体６１と、カバー本体６１の後向面から前記中心体４に向けて突出させた一対の突出壁６２とを一体に成形した弾性変形可能な合成樹脂製の部材である。カバー本体６１は、外側に向けて凸となるように若干湾曲させており、両側端部を斜め後方に向けて内側へ屈曲させた屈曲部６１ａを形成し、この屈曲部６１ａをアーム５の第１の起立壁５２１の先端部ないしは第２の起立壁５２２の基端部の前方に位置付けるようにしている。また、突出壁６２は、隣接するアーム５のカバー取付部５３同士の対向面に沿ってそれぞれ延びるもので、それらの先端部もそれぞれ外側方に向けて屈曲させて爪部６２ａを形成しており、この爪部６２ａをそれぞれカバー取付部５３の凹部５３ａに係合させるようにしている。すなわち、この突出壁６２は、カバー６が支柱本体３に取り付けられる際の被取付部として機能するものである。
【００２３】
このような構成に基づいて、一対の爪部６２ａをそれぞれアーム５のカバー取付部５３に対して素材の弾性を利用して係合させることによりカバー本体６１を扁平に弾性変形させてカバー６を装着すると、中心体４の一起立壁４１、隣接する一対のアーム本体５１の基端部５１ａ側、一対のカバー取付部５３、カバー本体６１の幅方向中央部、一対の突出壁６２によって包囲されそれぞれ上下に延びる四つの第１の空間Ｓ１が形成されることになる。またこの第１の空間Ｓ１の両側部には、隣接する一対のアーム５間には、アーム本体５１の先端部側及び先端部５２、カバー取付部５３、カバー本体６１、突出壁６２によって包囲される第２の空間Ｓ２がそれぞれ形成される。このとき各アーム本体５１は、隣接する第１の空間Ｓ１同士を区画する隔壁として機能し、またカバー取付部５３及び突出壁６２は、隣接する第１の空間Ｓ１と第２の空間Ｓ２とを区画する隔壁として機能している。なお、カバー本体６１の屈曲部６１ａと突出壁６２との間には、カバー６を支柱本体３に装着した状態でアーム５の第２の起立壁５２２の前面に前方からわずかに接するように後方に向けて突出させた複数のリブ６３を設けており、カバー６の装着時における安定化を図っている。また、床面Ｆにおける支柱２を配置すべき個所には図示しないが配線引き出し用の穴を開けて、その穴と支柱２の第１及び第２の空間Ｓ１、Ｓ２とを連通させるようにしている。さらに、カバー６を装着した状態では、カバー本体６１の両側端部に形成した屈曲部６１ａはアーム５の何れの部位にも接しておらず、寧ろ第１の起立壁５２１の先端部ないし第２の起立壁５２２との間に若干の隙間ｓが生じている。
【００２４】
このような構成の支柱２に支持される横架材８は、図３に示すように両側端部を開口させたチャネル材であり、隣接する支柱２の上端部にそれぞれ取り付けた連結部材９を介して両支柱２に支持されている。連結部材９は、支柱２の上端部に取り付けた図示しないアジャスタ部材に対して上下移動させた任意の位置で固定できるようになっており、隣接する支柱２同士の間で各連結部材９を上下動作させることで横架材８を水平に保つようにしている。そのために、連結部材９には隣接する支柱２に向けて突出する突起部９１を形成しており、これら突起部９１に横架材８を上方から落とし込んで載せるようにしている。また、横架材８の上面には、配線類を載せられるように長手方向に延びる案内溝８１を形成している。そして、支柱２に形成された空間Ｓを、天井付近の空間や横架材８の内部又は案内溝８１に連通させるように、連結部材９にはそれぞれ開口窓９２、９３を形成している。なお、外部から連結部材９等を隠すため、支柱２の上端部には図１に示すようなコーナーカバー１３を被せている。
【００２５】
次に、支柱２の中間高さ位置において、オプション部材取付部Ｘに図１に示す円形天板１０をオプション部材として取り付ける場合について、図４〜図７を参照して説明する。
【００２６】
この円形天板１０は、支柱２を中心部に挿通させた平面視ドーナツ形をなすもので、その形状を直径方向に均等に二分割した形状の一対の天板要素１０ａ、１０ｂを接合してなるものである。各天板要素１０ａ、１０ｂは、オプション部材取付部Ｘにおける連続溝５４に位置付けたナット部材１２にボルトＢによって固定される取付部材１１によって支持されている。取付部材１１は、支柱２の隣接するカバー６の側端部間距離よりも若干小さい幅寸法を有する起立板１１１と、この起立板１１１からＶ字形に広がって斜め上方に延びる二つの支持桿１１２、１１３と、各支持桿１１２、１１３の上端部に略水平な姿勢で取り付けられ天板要素１０ａ、１０ｂを下方から支持する水平板１１４とからなる。起立板１１１には上端部及び下端部にそれぞれボルトＢを厚み方向に挿通し得る貫通孔１１１ａを形成している。支持桿１１２、１１３は起立板１１１に支持される基端部の高さ位置を相互に異ならせるとともに、水平板１１４を前端部側、後端部側でそれぞれ支持するようにしている。水平板１１４は、平面視台形状をなすもので、下方から天板要素１０ａ、１０ｂにネジ止めするようにしている。このような取付部材１１を支柱２の四つのオプション部材取付部Ｘにそれぞれ配置して、隣接する二つの取付部材１１によって一つの天板要素１０ａ、１０ｂをそれぞれ支持するようにしている。
【００２７】
一方、ナット部材１２は、前記連続溝５４の開口縁部５４ａよりも若干小さい幅寸法と、連続溝５４の内部における幅寸法に略等しい高さ寸法と、連続溝５４の奥行き寸法に略等しい厚み寸法を有し、中央部に前記ボルトＢの先端部を止着し得るネジ孔１２ａを形成した板状の部材であって、正面視した場合長方形の一対角部分を斜めに切除したような扁平な六角形状をなしている。そして、図７に示すように、このナット部材１２を長手方向を上下方向に一致させた姿勢で連続溝５４の開口縁部５４ａを通過させて連続溝５４内に位置付け、その位置で同図に矢印ａ方向で示すように時計回りに回転させて姿勢を水平軸周りに９０°変更した状態にして、前記取付部材１１の起立板１１１の貫通孔１１１ａに挿入したボルトＢをナット部材１２のネジ孔１２ａに止着するようにしている。この状態で、ナット部材１２と起立板１１１との間に突出壁５２３を共締めにして挟み込んでいる。なお、ここでは一つの起立板１１１に対してナット部材１２を二個使用している。また、ボルトＢの先端部Ｂａは連続溝５４の奥方の溝部５５内に逃がすようにしている。さらに、ボルトＢの頭部と起立板１１１との間には、リング状の座金Ｗを配置している。
【００２８】
以上のように、本実施形態の支柱２は、支柱本体３とそれに装着したカバー６との間に、上下に延び相互に仕切られた複数の空間Ｓ１、Ｓ２を形成しているので、図８に想像線で示すように、床面Ｆから立ち上げたり天井から引き下ろした電力線や通信線等の種々の配線類Ｈ１、Ｈ２をそれら各空間Ｓ１、Ｓ２に分類して通すことができ、各空間Ｓ１、Ｓ２を好適な配線案内路として利用することが可能である。この場合、例えば第１の空間Ｓ１には電力供給用の強電配線Ｈ１を格納するとともに、第１の空間Ｓ２には情報通信用の弱電配線Ｈ２を格納し、それらをカバー取付部５３及び突出壁６２によって仕切るようにすることで、種類別の配線を容易に行うことができる。また、図１に示すように、カバー６に、カバー本体６１の一部を切り欠いてその位置に電力用コンセントＣ１や情報コンセントＣ２等を設け、支柱２の内部で前記配線類Ｈ１、Ｈ２とコンセント類Ｃ１、Ｃ２とを接続することで、配線関係において使い勝手が良く外観も優れた極めて有用な支柱２を構成することができる。特に本実施形態の支柱２は、横架材８等と共にオフィス内の作業空間を形成する構造物１に適用しているため、特に多くの配線類Ｈを使用することが予想されるが、このような支柱２によって配線類Ｈ１、Ｈ２を分類して案内しそれらをカバー６によって隠蔽することで、オフィス空間をすっきりとしたものとすることができ、作業効率の向上や事故の防止を有効に図ることが可能である。また、支柱２に案内させた配線類Ｈを横架材８にも案内させて、他の支柱２へと引き回すことも可能である。
【００２９】
また、カバー６は支柱本体３に着脱できるため、支柱本体３の設置後でもカバー６を取り外せば前記空間Ｓに収容された配線類Ｈが露出されることになり、容易に配線作業やメンテナンスを行うことができる。さらにこのカバー６は、合成樹脂製の弾性変形可能な素材からなるものであるので、その弾性変形を利用すれば容易に支柱本体３に着脱することができ、また装着後は簡単には脱落しないようにすることもできる。
【００３０】
支柱本体３の具体的構成は、その中核となる中心体４と、中心体４から外方に向けて突出する四つのアーム５とから構成したものであり、アーム５の延出方向における中間位置にカバー取付部５３を形成して、隣接するアーム５のカバー取付部５３同士にカバー６を装着するようにしているため、簡単な構成の支柱本体３にカバー６を容易に装着することができ、また支柱本体３とカバー６との間に好適な空間Ｓ１を形成しつつアーム本体５１に隣接する空間Ｓ同士を仕切る隔壁としての機能を付与することが容易である。
【００３１】
より具体的には、カバー６側には被取付部たる突出壁６２を一対形成してこれをカバー取付部５３に係合させるようにしており、さらにカバー本体６１の両側端部をアーム５の先端部の前方に位置付けているため、カバー６を支柱本体３に装着すると、前記空間（第１の空間）Ｓ１に加えてその両側方に第２の空間Ｓ２をも形成することができる。したがって、支柱２には、第１の空間Ｓ１が４つ、第２の空間Ｓ２が８つ形成される。すなわち、一つの支柱本体３と４つのカバー６によって合計１２の配線案内路として利用し得る空間Ｈ１、Ｈ２が得られるので、種類ごとに分別した配線の格納が極めて好適に行える。特にカバー６の突出壁６２とカバー取付部５３とを相対向させているため、カバー６の装着時にはカバー６を取付方向すなわち中心体４側へ押圧するだけの極めて簡単な動作で突出壁６２とカバー取付部５３とが係合することになり、容易に装着作業を行うことができる。逆に、カバー６の取り外しも極めて容易に行うことができる。
【００３２】
一方、隣接するアーム５同士の間に露出されるアーム５の先端部には、カバー６を装着した状態で前記円形天板１０等のオプション部材を取り付け得るオプション部材取付部Ｘを形成しているので、支柱２の配線案内機能には影響を与えることなく、しかもその都度カバー６を取り外すこともなく円形天板１０等を支柱２に取り付けて、極めて使い勝手のよいオフィス空間を容易に構築できる。
【００３３】
さらに、このオプション部材取付部Ｘは、外方に向けて開口し上下に延びる連続溝５４を備えているため、その連続溝５４に対して自由な高さ位置に円形天板１０等を取り付けられることになり、オフィス空間のレイアウトの変更も容易である。そして、連続溝５４を開口縁部５４ａよりも内部の幅寸法の方を広げて、その開口片部５４ａを通過させたナット部材１２を連続溝５４の内部で水平軸周りに一方向へ回転させることによって開口縁部５４ａから抜け出ないようにした上で、ナット部材１２に円形天板１０等のオプション部材をボルトＢで止着するようにしているため、支柱２に対する自由な高さ位置で円形天板１０等を極めて簡単且つ安定的に取り付けることが可能である。
【００３４】
さらに支柱本体３は、中心体４の周囲に同一形状の四つのアーム５を等間隔で突出させているので、支柱２を鉛直軸周りの方向を問わずに配置することができ、また支柱２の周囲にいずれも同じ状態で横架材８や円形天板１０等を支持させることができるようになり、施工作業の簡便化や部材の共通化を図ることが可能である。
【００３５】
なお、本発明は上記実施例に限られず、例えばオプション部材として前記円形天板１０の他に、図１に示すようなデスク用の天板１０ｘや照明器具１０ｙ等、種々のものを円形天板１０と同様の構成によって取り付けることができる。
【００３６】
さらに本発明の支柱は、デスクの天板を支持する脚支柱やパーティションパネルの支柱等、いわゆる支柱一般に適用することができるものである。その他、支柱本体やカバーの形状や構成、カバー取付部のアームに対する突出方向や配置位置等、各部の具体的構成についても上記実施形態に限られるものではなく、本発明の趣旨を逸脱しない範囲で種々変形が可能である。
【００３７】
【発明の効果】
本発明は、以上詳述したように、支柱を、床面に起立姿勢で配置される支柱本体と、該支柱本体に装着されるカバーとの間に、支柱本体の長手方向に沿って延び相互に仕切られた複数の空間を形成し、それら空間を配線案内路として利用し得るようにしたものである。そして、カバーを装着するに当たって、支柱本体の中核となる中心体から外方に向けて突出し中心体に沿って上下に延びる複数のアームを設け、各アームの基端部と先端部との間における中間位置にカバー取付部を形成した構成を有している。このため、支柱として横架材等を支持して所定の作業空間を形成する構造物の支柱やデスクやテーブルの脚支柱等として適用すれば、少なくとも床下から引き出して立ち上げられる電力線や通信線等の種々の配線類を好適に分類して収容しカバーによって隠蔽した状態にして、オフィス等の室内空間をすっきりとさせることができ、さらには作業効率の向上や事故の防止を有効に図ることが可能である。さらに、支柱が、床面から天井付近まで延びるものであれば、同様に天井から引き出した配線類も分類して収容することができる。特にカバー取付部は、アームの中間位置に設けられていることから、アームの基端側及び支柱本体とカバーとの間にや、アームの先端側とカバーとの間に数多くの空間を形成することができ、それらの空間を配線案内路として好適に用いることができるようになり、配線の種類ごとに分類してそれぞれ別々の配線案内路に格納するなど、多様な配線態様の実現が可能である。
【図面の簡単な説明】
【図１】本発明の一実施形態を適用したオフィス空間の概観を示す斜視図。
【図２】同実施形態の上端部近傍を一部分解して示す斜視図。
【図３】同実施形態に横架材を支持させた状態を一部省略して示す斜視図。
【図４】同実施形態に天板を取り付けた状態を示す部分的な正面図。
【図５】図４におけるＡ−Ａ線断面図。
【図６】図５の一部を拡大して示す断面図。
【図７】同天板の取付状態を示す分解斜視図。
【図８】同実施形態に配線類を格納した状態を示す概略的断面図。
【符号の説明】
２…支柱
３…支柱本体
４…中心体
５…アーム
６…カバー
１０…オプション部材（円形天板）
１２…ナット部材
５３…カバー取付部
５４…連続溝
６２…被取付部（突出壁）
Ｘ…オプション部材取付部
【図１】
0003844988.tif 000002
【図２】
0003844988.tif 000003
【図３】
0003844988.tif 000004
【図４】
0003844988.tif 000005
【図５】
0003844988.tif 000006
【図６】
0003844988.tif 000007
【図７】
0003844988.tif 000008
【図８】
0003844988.tif 000009